(57)【要約】  構造体又は人に取り付けるポータブル式振動装置（ＰＶＤ）であって、振動発生器（ＶＣ）と、振動を伝達するべく前記振動発生器（ＶＣ）を構造体又は人に取り付けるためのクランプコンポーネント（ＣＣ）と、を具備している。前記クランプコンポーネント（ＣＣ）は、前記振動発生器（ＶＣ）と構造体又は人との間の距離を調節するために、前記振動発生器に対してスライド可能である。ポータブル式振動装置が使用されていない場合、前記振動発生器と前記クランプコンポーネントとの一方は他方を収納するための第一凹部を含んでいて、従ってコンパクトなユニットを提供している。本装置は異なる用途のための種々のアタッチメントを含んでいる。
2007504890.tif 000002
【特許請求の範囲】
【請求項１】
構造体又は人に取り付けるポータブル式振動装置であって、
ａ）振動発生器と；
ｂ）振動を伝達するべく前記振動発生器を構造体又は人に取り付けるためのクランプコンポーネントと；を具備するポータブル式振動装置において：
ｃ）前記クランプコンポーネントは、前記振動発生器と構造体又は人との間の距離を調節するために、前記振動発生器に対してスライド可能であって；
ｄ）ポータブル式振動装置が使用されていない場合に前記振動発生器と前記クランプコンポーネントとの一方は他方を収納するための第一凹部を含んでいて、従ってコンパクトなユニットを提供している；
ポータブル式振動装置。
【請求項２】
ａ）前記振動発生器が前記クランプコンポーネントを収納するための前記第一凹部を含んでいる、請求項１に記載のポータブル式振動装置。
【請求項３】
ａ）前記振動発生器が第二凹部を含んでいて；
ｂ）前記クランプコンポーネントが、ポータブル式振動装置を使用中に前記第二凹部にスライド可能に位置決めされるようになっているアームを含んでいる；請求項２に記載のポータブル式振動装置。
【請求項４】
ａ）前記アームと前記振動発生器とを連結するためのロック部材をさらに具備する、請求項３に記載のポータブル式振動装置。
【請求項５】
ａ）前記ロック部材がカムレバーを備えていて；
ｂ）前記振動発生器と前記アームとの一方が前記カムレバーを備えており；
ｃ）前記カムレバーがロック位置とロック解除位置との間で作動可能になっている；請求項４に記載のポータブル式振動装置。
【請求項６】
ａ）前記振動発生器が前記カムレバーを備えていて；
ｂ）前記カムレバーがロックカムを備えており；
ｃ）前記ロックカムが前記アームとロック可能に係合するべく第二凹部の中に延伸している；請求項５に記載のポータブル式振動装置。
【請求項７】
ａ）前記第一及び第二凹部がほぼ直交する軸に沿って延伸している；請求項３に記載のポータブル式振動装置。
【請求項８】
ａ）前記第二凹が前記振動発生器の厚さを貫通して延伸している；請求項３に記載のポータブル式振動装置。
【請求項９】
ａ）前記クランプコンポーネントが前記ポータブル式振動装置を構造体又は人に取り付けるためのジョー部材を含んでいる；請求項３に記載のポータブル式振動装置。
【請求項１０】
ａ）前記ポータブル式振動装置が使用されていない場合に前記ジョー部材と前記振動発生器とを連結するための、第一及び第二ロック部材をさらに具備している；請求項９に記載のポータブル式振動装置。
【請求項１１】
ａ）前記第一及び第二ロック部材が、それぞれタブと第三凹部とを備えている；請求項１０に記載のポータブル式振動装置。
【請求項１２】
ａ）前記ジョー部材が前記第三凹部を含んでいて、前記振動発生器が前記タブを含んでいる；請求項１１に記載のポータブル式振動装置。
【請求項１３】
前記タブが、前記振動発生器における前記第二凹部にほぼ対向して位置決めされている；請求項１２に記載のポータブル式振動装置。
【請求項１４】
ａ）前記振動発生器が前方部分、後方部分、頂部及び底部を含んでいて；
ｂ）前記第一凹部が前記振動発生器の後方部分にほぼ垂直に延伸しており、そして前記タブは底部周囲に位置決めされており；
ｃ）ポータブル式振動装置が使用されていない場合、前記アームは前記第一凹部に位置決めされていて、前記タブは前記第三凹部に受容されている；請求項１３に記載のポータブル式振動装置。
【請求項１５】
ａ）前記振動発生器が前方部分、後方部分、頂部、及び底部を含んでいて；
ｂ）前記第二凹部が前方部分と後方部分との間で前記振動発生器頂部を囲んで延伸しており；
ｃ）前記ポータブル式振動装置が使用されている場合、前記アームが前記第二凹部に位置決めされ、そして前記ジョー部材は前記アームに対してほぼ直交的に延伸している；請求項１３に記載のポータブル式振動装置。
【請求項１６】
前記ジョー部材が、備品の一部分に取り付けるための切欠きを含んでいる、請求項９に記載のポータブル式振動装置。
【請求項１７】
前記切欠きが、備品の丸味をおびた部分に取り付けるためにほぼ半円形の形状である、請求項１６に記載のポータブル式振動装置。
【請求項１８】
前記ポータブル式振動装置がバッテリで作動されている、請求項１に記載のポータブル式振動装置。
【請求項１９】
構造体又は人に取り付けるポータブル式振動装置であって、
ａ）第一凹部を含んでいる振動発生器と；
ｂ）振動を伝達するべく前記振動発生器を構造体又は人に取り付けるためのクランプコンポーネントと；を具備するポータブル式振動装置において：
ｃ）ポータブル式振動装置が使用されている場合、前記振動発生器と構造体又は人との間の距離を調節するために、前記クランプコンポーネントは前記振動発生器に対して前記第一凹部の中でスライド可能なアームを含んでいて；
ｄ）前記振動発生器はポータブル式振動装置が使用されていない場合に前記アームを収納するための第二凹部を含んでいて、従ってコンパクトなユニットを提供している；
ポータブル式振動装置。
【請求項２０】
ａ）前記アームが第一及び第二端部を含んでいて；
ｂ）前記第一端部は前記第一凹部の中へ延伸しており；
ｃ）前記クランプコンポーネントがポータブル式振動装置を構造体又は人に取り付けるためのジョー部材を含んでいて；
ｄ）前記ジョー部材が前記アームに対してほぼ直交して延伸している；請求項１９に記載のポータブル式振動装置。
【請求項２１】
前記アームをａ）前記振動発生器に対してロックするための、従ってポータブル式振動装置を構造体又は人に把持するためのカムレバーをさらに具備している；請求項２０に記載のポータブル式振動装置。
【請求項２２】
ａ）前記カムレバーが、前記アームをロック可能に係合するために前記第一凹部の中へ延伸しているロックカムを含んでいる；請求項２１に記載のポータブル式振動装置。
【請求項２３】
ａ）前記ジョー部材と前記振動発生器との一方がタブを含んでいて、他方が前記タブを受容するための第三凹部を含んでいる、請求項２１に記載のポータブル式振動装置。
【請求項２４】
ａ）前記振動発生器が前方部分、後方部分、頂部及び底部を含んでいて；
ｂ）前記タブが前記振動発生器の底部を囲んで位置決めされ、そして前記ジョー部材が前記第三凹部を含んでおり；
ｃ）前記第二凹部が前記振動発生器の後方部分に対してほぼ垂直に延伸していて；
ｄ）ポータブル式振動装置が使用されていない場合、前記タブが前記第三凹部に受容されるように、前記アームは前記第二凹部に位置決めされるべく前記第一凹部から引きぬくことができるようになっている；請求項２３に記載のポータブル式振動装置。
【請求項２５】
ａ）前記ジョー部材が備品の丸味部分に取り付けるための切欠きを含んでいる、請求項２０に記載のポータブル式振動装置。
【請求項２６】
ａ）前記第一及び第二凹部がほぼ直交する軸に沿って延伸している、請求項１９に記載のポータブル式振動装置。
【請求項２７】
ポータブル式振動装置がバッテリにより作動されている；請求項１９に記載のポータブル式振動装置。
【請求項２８】
ａ）凹部を含んでいる振動発生器と；
ｂ）前記凹部の中でスライド可能なアームを含んでいるアタッチメントコンポーネントと；
ｃ）前記アームを前記振動発生器に対してロックするためのロックレバーと；を具備するポータブル式振動装置において；
ｄ）前記アームが第一及び第二端部を含んでいて；
ｅ）前記アームの前記第一端部は前記凹部の中へ延伸するためのものである；
ポータブル式振動装置。
【請求項２９】
ａ）前記アームの第二端部に取り付けられたクッション部材をさらに具備する、請求項１に記載のポータブル式振動装置。
【請求項３０】
ａ）人の胴体に係合するために従って振動をそこに伝達するために、前記クッション部材がほぼＵ字形の部材を備えている、請求項２９に記載のポータブル式振動装置。
【請求項３１】
ａ）人が把持することができるように従って振動を人の手又は胴体に伝達するために、前記アームの第二端部に取り付けられた体型に合わせた部材をさらに具備する、請求項１に記載のポータブル式振動装置。
【請求項３２】
ベッドフレームに取り付けるためのポータブル式振動装置であって；
ａ）凹部を含んでいる振動発生器と；
ｂ）アタッチメントコンポーネントであって、ｃ）前記凹部の中でスライド可能な第一部分及びベッドフレームに取り付けられる第二部分を含んでいるアタッチコンポーネントと；
ｄ）前記アタッチメントコンポーネントをベッドフレームの区画に連結するためのロック部材と；
を具備するベッドフレームに取り付けるためのポータブル式振動装置。
【請求項３３】
ａ）前記凹部が前記振動発生器の後方部分において全長に沿って延伸している、請求項３２に記載のポータブル式振動装置。
【請求項３４】
ａ）前記アタッチメントの前記第一及び第二部分が、それらの間にベットフレームの区画を受容するための隙間を備えている；請求項３２に記載のポータブル式振動装置。
【請求項３５】
パッドに取り付けるためのポータブル式振動装置であって、
ａ）凹部を含んでいる振動発生器と；
ｂ）前記凹部の中でスライド可能なアタッチメントコンポーネントと；
ｃ）アームを前記振動発生器に対してロックするためのロックレバーと；を具備するポータブル式振動装置において；
ｄ）前記アームが第一及び第二端部を含んでいて；
ｅ）前記アームの前記第一端部は前記凹部の中へ延伸するためのものであり；
ｆ）前記アームの前記第二端部はパッドに取り付けられるようになっていて；
ｇ）従って、ポータブル式振動装置はパッドにおいて足の少なくとも一方に置くことにより足マッサージ器として使用することができる；
パッドに取り付けるためのポータブル式振動装置。
【請求項３６】
容器に取り付けるためのポータブル式撹拌器であって；
ａ）凹部を含んでいる振動発生器と；
ｂ）アタッチメントコンポーネントであって、ｃ）前記凹部の中でスライド可能な第一部分及び容器に係合するための第二部分を含んでいるアタッチコンポーネントと；
ｄ）前記アタッチメントコンポーネントを振動発生器に連結するためのロック部材と；を具備していて；
ｅ）従って撹拌器は、容器に振動を伝達するために使用することができて、従って容器の中の材料を撹拌することができる；
容器に取り付けるためのポータブル式撹拌器。
【発明の詳細な説明】
【技術分野】
【０００１】
本発明は振動装置、特に振動を伝達し作用するために備品のような構造体又は人に容易に取り付けることのできるポータブル式振動装置に関するものである。
【背景技術】
【０００２】
従来技術において種々の振動又は治療用装置がある。しかしながら、従来装置は複雑で着脱が困難でポータブル式ではなく多用途ではない。すなわち異なるタイプの構造体に容易に取り付けることができない。さらに、構造体及び人への互換性がない。また他の用途には使用することのできない特定の用途用に設計されている。例えば、ベッド振動装置は首振動装置として使用することはできず、又その逆もできない。
【０００３】
従来装置の例は米国特許／特許出願公開明細書Ｎｏ．Ｄｅｓ．２０７，１４２；Ｄｅｓ．２０７，２８７；Ｄｅｓ．３４２，３２０；Ｄｅｓ．３４５，４２５；２２１，７５２；３８９，９３８；２，５８７，２０７；２，６６８，３０２；２，９２０，６１９；３，２６１，０３３；３，３１１，９３５；３，３６１，１３０；３，４５５，２９６；３，５８４，２４９；３，９５５，２２２；４，６４１，３４５；４，６８１，０９６；４，７８５，７９７；４，８９３，３６６；５，００３，６５１；５，１０６，１５９；５，１８８，０９５；５，３７４，２３８；５，６６０，５９７；５，７７６，０８５；６，０１０，１９２；６，０１５，３９４；６，３４６，０８８；６，６４８，４１６；６，６６９，２９１；２００２／００９１３４０；２００２／００９５１０３；２００２／００９６９２９；ａｎｄ  ２００４／０１２７８２２；に開示されている。
【０００４】
従来装置の欠点に関して、産業界において多用途のポータブル式振動装置の必要性がある。すなわちそのポータブル式振動装置はベッド、椅子、幼児用寝台、ローンチェアーのような種々の構造体に取り付けることができ、かつ液体、固体又は原料を撹拌するための容器に取り付けることのできる。さらに、装置は治療又はリラックスするために人に取り付けるのに使用できるものである。
【発明の開示】
【発明が解決しようとする課題】
【０００５】
本発明の目的は従来装置の欠点を克服したポータブル式振動装置を提供することである。
【０００６】
本発明の目的は、振動を伝達し作用させるために構造体又は人に容易に脱着できるポータブル式振動装置を提供することである。
【０００７】
本発明の目的は、振動を伝達し作用させるために構造体又は人に容易に脱着できる多用途のポータブル式振動装置を提供することである。
【０００８】
本発明の目的は、張りぐるみの椅子の上部、ベッドのヘッドボード、幼児用寝台、乳母車、飛行機のシート、自動車のシートローンチェアー、テーブル、木製椅子、ベッドフレーム／レール、合板製あるいは金属製の事務用椅子、プラットフォームベッド等の種々の対象物に容易に取り付けることのできるポータブル式振動装置を提供することである。
【０００９】
本発明の目的は、液体、固体又は原料を撹拌するために使用することのできるポータブル式振動装置を提供することである。
【００１０】
本発明の目的は、振動機構により発生された最大エネルギを接触している対象物に及び／又は人、液体、固体、粒子等に伝達するポータブル式振動装置を提供することである。
【００１１】
本発明の目的は、使用していない場合のコンパクトな保管のために又は搬送のために折りたたみ可能であって、そして振動の速度及び強さを調節するために種々のスイッチを有しているポータブル式振動装置を提供することである。装置はジョー部材及び／又は振動発生器にすべらない材料を選択的に含んでいて、そして調節可能なクランプ構造体と組合わせて、人をリラックスさせ楽しませるための種々の対象物に対して強力な振動を伝達することができる。さらに、装置は医療処置、種々のサイズの対象物用のふるいの振動、液体及び／又は固体を混合するための溶解液の撹拌、及び溶解粒子又は他の材料の撹拌等のような商用アプリケーション用のポータブル式ユニットとして機能可能なものである。
【００１２】
本発明の目的は、装置を例えば首マッサージ器から手持ち式胴マッサージ器に切り換えるために種々のアタッチメントを含んでいるポータブル式振動装置を提供することである。一つ以上のアタッチメントを使用することにより、例えばベッドフレームから椅子に取り付けるために切り換えることができる。同様に、本発明の振動発生器は、装置を足マッサージ器に切り換えるためにパッドに取り付けることができる。
【００１３】
まとめると、本発明の目的は、振動を伝達するために種々の構造体及び対象物、又は人に容易に脱着できるポータブル式振動装置を提供することである。装置は構造が簡単で異なる用途のための種々のアタッチメントを含んでいる。
【課題を解決するための手段】
【００１４】
前述の目的の一つが本発明により達成されていて、一つの実施形態において、構造体又は人に取り付けるポータブル式振動装置が、振動発生器と；振動を伝達するべく前記振動発生器を構造体又は人に取り付けるためのクランプコンポーネントと；を具備している。前記クランプコンポーネントは、前記振動発生器と構造体又は人との間の距離を調節するために、前記振動発生器に対してスライド可能である。ポータブル式振動装置が使用されていない場合、前記振動発生器と前記クランプコンポーネントとの一方は他方を収納するための第一凹部を含んでいて、従ってコンパクトなユニットを提供している。
【００１５】
他の実施形態において、構造体又は人に取り付けるポータブル式振動装置が、第一凹部を含んでいる振動発生器と；振動を伝達するべく前記振動発生器を構造体又は人に取り付けるためのクランプコンポーネントと；を具備している。ポータブル式振動装置が使用されている場合、前記振動発生器と構造体又は人との間の距離を調節するために、前記クランプコンポーネントは前記振動発生器に対して前記第一凹部の中でスライド可能なアームを含んでいる。前記振動発生器はポータブル式振動装置が使用されていない場合に前記アームを収納するための第二凹部を含んでいて、従ってコンパクトなユニットを提供している。
【００１６】
他の実施形態において、ポータブル式振動装置が、凹部を含んでいる振動発生器と；前記凹部の中でスライド可能なアームを含んでいるアタッチメントコンポーネントと；前記アームを前記振動発生器に対してロックするためのロックレバーと；を具備している。前記アームが第一及び第二端部を含んでいる。前記アームの前記第一端部は前記凹部の中へ延伸するためのものである。
【００１７】
他の実施形態において、ベッドフレームに取り付けるためのポータブル式振動装置が、凹部を含んでいる振動発生器と；前記凹部の中でスライド可能な第一部分及びベッドフレームに取り付けられる第二部分を含んでいるアタッチコンポーネントとを含んでいる。前記アタッチメントコンポーネントをベッドフレームの区画に連結するためのロック部材が備えられている。
【００１８】
他の実施形態において、パッドに取り付けるためのポータブル式振動装置が、凹部を含んでいる振動発生器と；前記凹部の中でスライド可能なアタッチメントコンポーネントと；アームを前記振動発生器に対してロックするためのロックレバーと；を具備している。前記アームが第一及び第二端部を含んでいる。前記アームの前記第一端部は前記凹部の中へ延伸するためのものであり；前記アームの前記第二端部はパッドに取り付けられるようになっている。従って、ポータブル式振動装置はパッドにおいて足の少なくとも一方に置くことにより足マッサージ器として使用することができる。
【００１９】
他の実施形態において、容器に取り付けるためのポータブル式撹拌器が、凹部を含んでいる振動発生器と；アタッチメントコンポーネントであって、ｃ）前記凹部の中でスライド可能な第一部分及び容器に係合するための第二部分を含んでいるアタッチコンポーネントとを含んでいる。前記アタッチメントコンポーネントを振動発生器に連結するためのロック部材が備えられている。従って撹拌器は、容器に振動を伝達するために使用することができて、従って容器の中の材料を撹拌することができる。
【００２０】
本発明の前述の目的及び他の目的、特徴並びに利点が本発明の図示された好適な実施形態の詳細な説明により明瞭になる。
【発明を実施するための最良の形態】
【００２１】
図１及び４に図示するように、本発明のポータブル式振動装置ＰＶＤは振動発生器ＶＣ及びクランプコンポーネントＣＣを含んでいる。図３に図示するように、振動発生器ＶＣが、充電式の好ましくは二つのバッテリ１２を収納するためのハウジング１０と、モータ１４と、出力シャフト１８によりモータ１４に接続された偏心ウエイト１６と、回路ボード２０とを含んでいる。（振動発生用の他の手段が代りに備えられてもよい。）回路ボード２０には、ユーザに利用可能な種々の操作選択に対応している種々の電子部品が取り付けられている。以下に詳述する。
【００２２】
図１に図示するように、ポータブル式振動装置ＰＶＤは種々の調節を行なうエラストマー製プレッシャスイッチパッド２２を含んでいる。好ましくは、三位置スライダ２４及び２６が運転時間及び振動設定の選択のために備えられている。スライダ２４を作動することにより、ユーザはポータブル式振動装置ＰＶＤを、例えば１５秒、３０秒、１分等の所定時間運転することを選択できるようになっている。同様にスライダ２６はユーザが振動サイクルを定常に、ウエーブ状にあるいはランダムに設定できるようになっている。底部エラストマー２７には左右のパッド２８及び３０が含まれている。左パッド２８はＯＮ／ＯＦＦスイッチとして機能し、低速モードに装置のスイッチを入れる。一方右パッド３０は高速モードに装置のスイッチを入れ、左パッド２８が押されるまで“ＴＲＹ  ＭＥ”ボタンとして機能している。前述したものは好適な実施形態であって、ユーザに本発明のポータブル式振動装置ＰＶＤを運転するために他の設定の選択を提供するべく、他のスイッチ及び／又は設定が備えられてもよい。
【００２３】
図１及び４に図示するように、クランプコンポーネントＣＣはほぼ細長くて好ましくはＩビーム型のアーム３２を含んでいて、その自由端部３２はハウジング１０における凹部３４を貫通して延伸している。アーム３２の他方の端部３５が好ましくは正方形状のジョー部材３６を含んでいて、そのジョー部材３６はアーム３２にほぼ直交して、かつハウジング１０の後方部３８にほぼ平行に延伸している。ジョー部材３６が、ハウジング１０の底部４４に備えられたタブ４２に一致する配置形状の開口部又は凹部４０を含んでいる。図２及び４に図示するように、ポータブル式振動装置ＰＶＤが使用されていない場合、アーム３２は、タブ４２がジョー部材３６の凹部４０に完全に受容されるまで端部３３を上げて凹なチャンネル又は凹部４５の中にスライドさせることにより、凹部３４から引きぬかれ、そしてハウジング１０の後方部分に収納される。アーム３２のフランジ４６は、チャンネル４５の凹部区画４８に受容され、従ってアーム３２を所定位置にロック又は締めつける。この方法で、クランプコンポーネントＣＣは振動発生器ＶＣに容易に収納され、コンパクトなポータブル式振動装置ＰＶＤを提供している。チャンネル４５は振動発生器ＶＣを構造体に把持するために使用されてもよい（図６参照）。
【００２４】
アーム３２を凹部３４にロックするために、ロックレバー５０が回動可能にハウジングの頂部５２にピン５４により取り付けられている（図３）。レバー５０はフィンガホール５８を備えたハンドル部分５６と偏心カム部分６０とを含んでいる。レバー５０の下方位置において（図３において実線で図示）カム部分６０がアーム３２の最上面６２の選択したいずれの場所にも係合し、従ってアームをハウジング１０に対する所定位置にロックするようになっている。アーム３２をロック解除するために、ロックレバー５０は上方に回動され、カム部分６０がもはや最上面６２に係合せず、従ってアーム３２が凹部３４に滑り込む又は凹部３４から滑り出せるようになっている（図３において二点鎖線で図示）。（アーム３２を凹部３４にロックする他の手段が代りに回動されてもよい。例えば、ねじ締め機構。）
【００２５】
図２〜４において、ハウジング１０の後方部分３８が、弾力性のあるフリクションパッド６４を選択的に備えていて、そのフリクションパッド６４は、好ましくは高密度のフォームで作られており、椅子の背もたれのような構造体Ｓを振動発生器ＶＣとジョー部材３６との間にしっかりと把持し保護するようになっている（図３）。ハウジング１０が左右側面に滑り防止グリップパッド６８を備えていてもよい（図には右側面のグリップパッドを図示）。
【００２６】
図５はクランプコンポーネントＣＣの別の実施形態を図示していて、ジョー部材７０は、好ましくはＣ字形切欠き７２を備えたほぼ長方形のブロック形状である。この実施形態はポータブル式振動装置ＰＶＤをローンチェア等のような構造体の湾曲区画又は管状区画に把持するのに特に有効である。
【００２７】
図６〜９は本発明の振動発生器ＶＣと共に使用するための種々のアタッチメント例を図示している。（他のアタッチメントを備えることも本発明の範囲内である。）
【００２８】
図７にはユーザの手に合うような輪郭のプレート７４が図示されていて、プレート７４は好ましくはハウジング１０の凹部に受容されるようになっているＩビームタイプのアーム７６を含んでいる。プレート７４を振動発生器ＶＣに取り付けることにより、ポータブル式振動装置ＰＶＤは手持ち式ボデーマッサージ器に切り換えることができる。
【００２９】
図８は、ハウジング１０の凹部にスライド可能に受容されるようになっている。好ましくはＩビームタイプのアーム８０を備えたほぼＵ字形のクッション７９を図示している。クッション７９はユーザの首周囲に合うような輪郭であって、好ましくはアーム８に接続された剛な内部フレーム（図示せず）を含んでいる。クッション７９を振動発生器ＶＣに取り付けることにより、ポータブル式振動装置ＰＶＤは首マッサージ器に切り換えることができる。
【００３０】
図９は、パッド８４に取り付けられた好ましくはＩビームタイプのアーム８２に取り付けられた振動発生器ＶＣを図示している。この構造体はポータブル式振動装置ＰＶＤを足マッサージ器として使用することを可能にしている。
【００３１】
図６はベッドフレーム８６への振動発生器ＶＣの取付具を図示している。図示するように、スライドプレート８８は、ベッドフレーム８６のＬビーム９２の垂直壁面９１をおおって取り付けられるほぼＬ字形のサイドプレート９０を含んでいる。好ましくは、二つのねじ式留め具９４及び９６がスライドプレート８８をＬビーム９２の全長に沿ってどこにでも把持できる。振動発生器ＶＣをベッドフレーム８６に取り付けるために、ねじ式留め具９４及び９６の一方が取り外され、スライドプレート８８は後方チャンネル４５の中へスライドされる。続いてサイドプレート９０が、Ｌビーム９２の垂直壁面９１とヘッド又はマットレスＭとの間に位置決めされ、そしてねじ式留め具９４及び９６が締め付けられる。
【００３２】
図２に図示する収納位置における本発明のポータブル式振動装置ＰＶＤを使用するために、ユーザはクランプコンポーネントＣＣをアーム３２がチャンネル４５の外に出るまで簡単に引き下げることができる。ユーザは、続いてロックレバー５０を上方に回動し、アーム３２の自由端部３３を凹部３４の中にスライドさせ、そしてポータブル式振動装置ＰＶＤを取り付ける構造体Ｓの一部分をおおってポータブル式振動装置ＰＶＤを位置決めする。続いてアーム３２は、構造体Ｓがジョー部材３６とハウジング１０の後方部分３８との間に把持されるまで、凹部３４の中へスライドされる（図３）。ユーザは、続いて、ロックレバー５０を下方に回動し、従ってアームを所定位置にロックする。ポータブル式振動装置ＰＶＤはスイッチ２８を入れることにより作動され偏心ウエイト１６により発生された振動を構造体Ｓに伝達する。
【００３３】
前述した説明により、本発明のポータブル式振動装置ＰＶＤは簡単に構造体あるいは身体に取りつけることができ、振動を伝達できるようになっていることが理解されるであろう。さらにアタッチメントにより装置を異なる用途に容易に取り換えることができる。
【００３４】
本発明について範囲、方法、材料、コンポーネント、特徴及び／又は構造について説明してきたが、本発明の一般原理にもとづき、本発明が関連する衆知な技術にあてはまるように本開示から逸脱することなく、そして本発明及び特許請求の範囲で限定している範囲内で、本発明を修正し、利用し及び／又は適用することは可能であることが理解されるべきである。
【図面の簡単な説明】
【００３５】
【図１】図１は、本発明によるポータブル式振動装置ＰＶＤの前方から見た斜視図で、使用状態のものである。
【図２】図２は、図１におけるポータブル式振動装置ＰＶＤの後方から見た斜視図で、収納状態のものである。
【図３】図３は、図１における矢視３−３から見た拡大断面図であって、点線で図示した構造体に取り付けられているものである。
【図４】図４は、図１のポータブル式振動装置ＰＶＤを後方から見た拡大図である。
【図５】図５は、クランプ部品の別の実施形態である。
【図６】図６は、本発明のポータブル式振動装置ＰＶＤをベッドフレームに取り付けるための取付具である。
【図７】図７は、本発明のポータブル式振動装置ＰＶＤを手持式バイブレータ又はマッサージ装置として使用するためのアタッチメントである。
【図８】図８は、本発明のポータブル式振動装置ＰＶＤを首のマッサージ装置として使用するためのアタッチメントである。
【図９】図９は、本発明のポータブル式振動装置ＰＶＤを足のマッサージ装置として使用するためのパッドである。
【図１】
2007504890.tif 000003
【図２】
2007504890.tif 000004
【図３】
2007504890.tif 000005
【図４】
2007504890.tif 000006
【図５】
2007504890.tif 000007
【図６】
2007504890.tif 000008
【図７】
2007504890.tif 000009
【図８】
2007504890.tif 000010
【図９】
2007504890.tif 000011
【国際調査報告】
2007504890.tif 000012